(57)【要約】【課題】カードが密着することにより発生する、カードが送り出されないことを防止する。【解決手段】  実質的にカードの第１の主面の表面積を占めるレリーフ構造を有するカードが提供される。レリーフ構造は、突出したエレメントから形成されており、突出したエレメントは、前記突出したエレメントの間に設けられた主面のベースの露出した領域を規定している。突出したエレメントは、０．０２〜０．１ｍｍだけベースから突出している。【選択図】図１
2020023184.tif 000002
【特許請求の範囲】
【請求項１】
カードであって、第１の主面と、該第１の主面の反対側に設けられた第２の主面と、実質的に前記第１の主面の表面積を占めるレリーフ構造と、を備え、該レリーフ構造は、突出したエレメントから形成されており、該突出したエレメントは、該突出したエレメントの間に設けられた前記第１の主面のベースの露出した領域を規定しており、前記突出したエレメントは、０．０２〜０．１ｍｍだけ前記ベースから突出している、レリーフ構造を備えるカード。
【請求項２】
前記突出したエレメントおよび前記露出した領域は、前記主面の幅の少なくとも８０％にわたってかつ前記主面の長さの少なくとも８０％に沿って延びている、請求項１に記載のレリーフ構造を備えるカード。
【請求項３】
前記露出した領域は、前記第１の主面の前記表面積の４０％超を占めており、前記突出しエレメントは、実質的に前記第１の主面の幅および長さに沿って延びる壁部を形成しており、該壁部は、前記露出した領域をセルに分離させている、請求項１または２に記載のレリーフ構造を備えるカード。
【請求項４】
前記各セルは、前記突出したエレメントによって形成された３ｍｍ未満の材料によって別のセルから分離されている、請求項３に記載のレリーフ構造を備えるカード。
【請求項５】
前記各セルは、３〜８ｍｍの最大直径を有する、請求項３または４に記載のレリーフ構造を備えるカード。
【請求項６】
前記突出したエレメントは、前記第１の主面の上側平坦面の少なくとも一部を形成しており、
前記レリーフ構造は、好ましくは、前記上側平坦面から形成された境界部によって包囲されている、請求項１から５までのいずれか１項に記載のレリーフ構造を備えるカード。
【請求項７】
前記露出した領域は、実質的に円形である、請求項１から６までのいずれか１項に記載のレリーフ構造を備えるカード。
【請求項８】
前記露出した領域は、六角形に密に詰め込まれている、請求項１から７までのいずれか１項に記載のレリーフ構造を備えるカード。
【請求項９】
前記レリーフ構造は、前記第１の主面の表面積の少なくとも７０％をカバーしている、請求項１から８までのいずれか１項に記載のレリーフ構造を備えるカード。
【請求項１０】
前記露出した領域は、前記突出したエレメントに対して凹まされている、請求項１から９までのいずれか１項に記載のレリーフ構造を備えるカード。
【請求項１１】
前記突出したエレメントは、ラミネート加工板から形成されている、請求項１から１０までのいずれか１項に記載のレリーフ構造を備えるカード。
【請求項１２】
前記第２の主面は、平坦である、請求項１から１１までのいずれか１項に記載のレリーフ構造を備えるカード。
【請求項１３】
それぞれ請求項１から１２までのいずれか１項に記載の複数のレリーフ構造を備えるカードの積み重ね庫。
【請求項１４】
前記カードは、前記第１の主面がそれぞれ、共通の方向を指す垂線ベクトルを有するように配置されている、請求項１３に記載のレリーフ構造を備えるカードの積み重ね庫。
【請求項１５】
請求項１から１２までのいずれか１項に記載のカードを形成するためのラミネート加工板であって、該ラミネート加工板は、レリーフ構造をカードのためのラミネートに刻み込むように構成されたパターニング面を有する、請求項１から１２までのいずれか１項に記載のレリーフ構造を備えるカードを形成するためのラミネート加工板。
【発明の詳細な説明】
【技術分野】
【０００１】
発明の分野
本発明は、レリーフ(relief)構造を有するカードおよび前記カードを形成するための積層板に関する。
【背景技術】
【０００２】
カードディスペンサは、テーマパーク、駐車場および公共交通機関の駅に見られるような、カード販売機およびチケット発行機内にしばしば設けられる。カードは、一般的にディスペンサ内に積み重ねて配置される。カードと電子カードリーダーとの間で情報を交換することができるように、各カードに集積回路または磁気ストリップが提供されていてもよい。したがって、これらのカードは一般的に「スマートカード」と呼ばれる。各カードは、概して平坦であるが、一方または両方の側に、ラミネート加工板によって提供された光沢、シルク、艶消しまたはマットの表面仕上げを有してもよい。カードの積み重ね庫から末端のカードを送り出すために、カードディスペンサ内にローラが配置されていてもよい。末端のカードは、積み重ね庫における残りのカードから分離され、これらのローラの作用によって、積み重ね庫に対して直角な長手方向に搬送される。
【０００３】
幾つかの状況において、カードは、積み重ね庫内で互いに付着する傾向がある場合があり、これにより、送り出し作用を妨げることが判っている。この問題は、ディスペンサが、摂氏４０度を超える温度および大きな温度変化（例えば、摂氏２０度以上）および大きな湿度変化に曝されたときに最も頻繁に起こることが判っている。
【先行技術文献】
【特許文献】
【０００４】
【特許文献１】特開２００９−１２９４０４
【特許文献１】特許第４３０３９７３号
【発明の概要】
【発明が解決しようとする課題】
【０００５】
したがって、このような環境におけるカードのより確実な送り出しを促進することが望ましい。
【課題を解決するための手段】
【０００６】
発明の第１の態様は、第１の主面と、第１の主面の反対側に設けられた第２の主面と、実質的に第１の主面の表面を占めるレリーフ構造と、を備え、レリーフ構造は、突出したエレメントから形成されており、突出したエレメントは、突出したエレメントの間に設けられた第１の主面のベースの露出した領域を規定しており、突出したエレメントは、０．０２〜０．１ｍｍだけベースから突出している、カードを提供する。
【発明の効果】
【０００７】
先に説明したカード付着の問題は、「圧着」、ファン・デル・ワールス力(van der Waals force)および毛管付着を含む要因の組み合わせの結果として生じることが判っている。例えば、密に詰め込まれたカードの場合、接触面の間にほとんどまたは全く空気が提供されないことがある。したがって、周囲環境からの空気圧は、カードを互いに押し付けるように作用する可能性がある。加えて、カードが多湿環境に配置されていると、カード境界面の水蒸気による表面張力が、この保持力をさらに高める。非常に平坦な面の場合、２つの面の間での電子の交換により、この保持力がさらに高められることも判った。
【０００８】
第１の態様によって提供される突出したエレメントは、有利には、第１の主面と接触面との間の接触面積を減じる。したがって、レリーフ構造を有する複数のカードが積み重ね庫に配置されているとき、各カードを、別のカードに付着することなく個別に送り出すことができる。さらに、突出したエレメントは、（あったとしても）各カードの厚さがかなり増大されることがないことを保証するために、比較的小さな高さを有する。したがって、このような突出した特徴が設けられていない場合と同じ数のカードをカセット内に収容することができる。
【０００９】
レリーフ構造は、好ましくは、実質的に主面の幅にわたってかつ実質的に主面の長さに沿って延びている。例えば、レリーフ構造は、箱形またはそれに似た形状で、主面の幅の実質的な部分（例えば８０％）にわたってかつ主面の長さの実質的な部分（例えば８０％）にわたって延びていてもよい。第１の主面におけるレリーフ構造の高いカバー度は、第１の主面のあらゆる部分が別のカードの接触面に付着させられる可能性を減じる。ほぼ矩形のカードの場合、「幅」とは、（主面の平面に沿った）カードの短い方の各側の端部から端部までの距離を意味し、「長さ」とは、（短い方の側に対して直角な）長い方の各側の端部から端部までの距離を意味する。
【００１０】
突出したエレメントは、一般的に、ベースに対して等しくかつ一定の高さを有する。例えば、突出したエレメントは、第１の主面の上側平坦面の少なくとも一部を形成していてもよい。上側平坦面は、一般的に、ベースに対して平行である。これは、接触するカードが、カードの接触面にわたって同じ量だけベースから持ち上げられ、これにより、カード付着が生じる可能性を減じることを保証する。レリーフ構造が、上側平坦面から形成された境界部によって包囲されていることが特に望ましい。これにより、この境界部は上側平坦面の残りを提供する。境界部は、露出した領域のいずれもがカードの縁部の一部を形成することを防止する。これは望ましくない。なぜならば、さもないと、カードの縁部においてこれらの領域の間に設けられた比較的細い突出したエレメントが、カードを繰り返し使用した後に破損するまたはベースから剥がれ落ちる可能性があるからである。したがって、境界部は、縁部に摩耗が生じてしまうことを防止するために、第１の主面を保護する。
【００１１】
突出したエレメントは、好ましくは、互いに接続されており、壁部を形成してもよい。突出したエレメントは、実質的に第１の主面の幅および長さに沿って延びる壁部を形成することが特に望ましい。カードの長さに沿って延びる壁部は、カードが積み重ね庫から長手方向に滑り出されるときに、突出したエレメントが別の面に引っ掛かる可能性を減じる。加えて、カードの幅に沿って延びる壁部は、カードが大きな温度変化に曝されたとき、長手方向に延びる軸線を中心にカードが反る可能性を減じる。
【００１２】
壁部は、露出した領域をセルに分離させてもよい。より一般的には、それぞれの露出した領域は、好ましくは、残りのセルから隔離されるように、突出したエレメントによって包囲されたセルを形成している。これは、反りを防止することによってカードを有利に強化し、かつ、積み重ね庫から滑り出されるときにカードが別の面に引っ掛かる可能性を減じることが判った。各セルは、好ましくは、前記突出したエレメントによって形成された３ｍｍ未満の材料によって別のセルから分離されている。さらに好ましくは、隣接するセルの間に２ｍｍ未満または１ｍｍ未満の前記材料が提供されている。このような細い境界部は、有利には、主面と接触面との間の接触面積を減じ、これにより、２つの面が互いに付着する可能性を減じる。各セルが３〜８ｍｍの最大直径を有することが望ましいことが判った。実質的に円形の露出した領域が特に望ましい。これにより、前に説明した利点を有する突出したエレメントの細い分離領域を提供することができる。露出した領域は、この理由から、好ましくは密に詰め込まれており、さらに好ましくは六角形に密に詰め込まれている。六角形の密に詰め込まれた配置は、最小限の量の突出した材料を使用して所定の面積にわたって高強度構造を提供する。三角形および正方形を用いるようなその他の幾何学格子は、より大きな合計周縁部を有することが示されており、したがって、六角形配置を用いて達成されるよりも大きな接触面積を有する第１の主面を提供してしまう。
【００１３】
前述のように、第１の主面の全接触面積が小さいことが特に望ましい。したがって、レリーフ構造は、実質的に第１の主面を占めている。好ましくは、レリーフ構造は、第１の主面の表面積の少なくとも７０％、さらに好ましくは少なくとも８０％をカバーしている。さらに好ましくは、露出した領域は、第１の主面の表面積の４０％超、さらに好ましくは５０％超を占めている。
【００１４】
露出した領域は、好ましくは、突出したエレメントに対して凹まされている。さらに、突出したエレメントは、好ましくは、ラミネート加工によって形成されている。したがって、突出したエレメントおよびベース自体は、同じラミネート加工によって形成されていてもよく、この同じラミネート加工に、レリーフ構造が、製造プロセスの間にプレスされる。したがって、露出した領域は、ラミネート加工における窪みに対応してもよい。これは、印刷などのその他の技術と比較して、レリーフ構造を製造する特に効率的かつ費用対効果の高い手段であることが判った。さらに、突出したエレメントは、これにより、カードの全体の厚さを増大させることなく形成されてもよい。なぜならば、窪みが、カードの厚さの範囲で形成されるからである。
【００１５】
カードは、好ましくは、スマートカードである。したがって、カードは、電子カードリーダーを用いてデータをカードから読み取ることができるように集積回路または磁気ストリップを有してもよい。したがって、カードは、一般的に、交通カード、支払いカードなどにおいて一般的であるように、大部分または全体がプラスチックから形成されている。さらに、カードは、一般的に、ISO/IEC 7810 ID-1規格に従う。したがって、カードは、約８６ｍｍの長さおよび約５４ｍｍの幅を有してもよい。
【００１６】
レリーフ構造がカードの第１の主面のみに設けられていることが特に望ましい。第２の主面は、対照的に、別のカードのレリーフ構造が、妨げられることなく滑るための平坦な面を提供してもよい。第２の主面は、好ましくは、カードの相対移動の間にカードと、接触するカードとの間に存在するあらゆる摩擦を減じるために提供されるように構成された仕上げを有する。例えば、仕上げは、光沢であってもよい。これは、美観の理由からも望ましいことがある。代替的に、別のレリーフ構造が第２の主面に提供されてもよい。これにより、平坦な面に載せるときにカードのどちらを上に向けるかは問題ではない。レリーフ構造は、カード付着が生じる可能性を減じるようにカードと平坦な面との間の境界面に存在する。第２の主面のレリーフ構造は、第１の主面のレリーフ構造に関して本明細書において説明された特性のいずれを有してもよい。
【００１７】
発明の第２の態様は、それぞれが第１の態様による複数のカードを有する、カードの積み重ね庫を提供する。したがって、カードは、積み重ね庫として互いに上下に鉛直方向に配置されてもよい。したがって、レリーフ構造は、積み重ね庫内でカードが互いに付着することを防止してもよい。
【００１８】
積み重ね庫内のカードが同様に配置されていることが特に望ましい。好ましくは、したがって、カードは、前記第１の主面がそれぞれ、共通の方向を指す垂線ベクトルを有するように配置されている。これは、第１の主面が互いに直接に接触することを防止する。第１の主面に形成されたレリーフ構造は、幾つかの例では、さもなければ、カードが互いに対して横方向に移動させられるときに互いに対して引っ掛かることがある。したがって、この配置は、カードが確実に送り出されることを保証する。さらに、この配置は、レリーフ構造が、各カードの両主面にレリーフ構造を提供する必要なく、積み重ね庫内の各カードの間の境界面に提供されることを保証する。したがって、第２の主面は平坦であってもよい。
【００１９】
レリーフ構造は、ラミネート加工板を用いて効率的に製造されてもよいことが判った。したがって、発明の第３の態様は、第１の態様によるカードを形成するためのラミネート加工板であって、ラミネート加工板は、レリーフ構造をカードのためのラミネート加工に刻み込むように構成されたパターニング面を有する、第１の態様によるカードを形成するためのラミネート加工板を提供する。したがって、パターニング面は、レリーフ構造の反転したものを反映してもよい。例えば、パターニング面は、突出したエレメントをラミネートから形成するように成形された凹所を有してもよい。代替的に、１つまたは複数の面は、ラミネートに露出した領域を形成するためにラミネート加工板から突出していてもよい。
【図面の簡単な説明】
【００２０】
【図１】第１の実施の形態によるカードの正面図である。
【図２】第１の実施の形態によるカードの斜視図である。
【図３】第１の実施の形態によるカードの背面図である。
【図４】第１の実施の形態によるカードの側面図である。
【図５】第２の実施の形態によるカードの正面図である。
【図６】第１の実施の形態によるカードを形成するためのラミネート加工板の概略図である。
【図７】第３の実施の形態によるカードの斜視図である。
【００２１】
ここで本発明の実施の形態を添付の図面を参照しながら説明する。
【実施例１】
【００２２】
カード１０の第１の実施の形態が、図１〜図４に示されている。カード１０は、クレジットカードなどの支払いカードに適用されるISO/IEC 7810 ID-1規格に従うように製造される。したがって、カードは、ポケットサイズで、実質的に矩形であり、丸みのある角を有する。より具体的には、カードは、８５．６０ｍｍの長さ、５３．９８ｍｍの幅および０．７６ｍｍの厚さ（図４の側面図において見ることができる）を有する。カード１０は、実質的にポリマーから形成されているが、外部カードリーダーとの近距離無線通信を行うことができるようにカード１０の本体内に集積回路（図示せず）を有する。したがって、カード１０は、「スマートカード」の一例である。
【００２３】
カード１０は、第１の主面１および第２の主面２を有し、第２の主面２は第１の主面１の反対側に設けられている。第１の主面１は、図１および図２の正面図および斜視図に見ることができ、第２の主面２は、図３の背面図に見ることができる。第１の主面１にのみレリーフ構造４が設けられている。これは、第１の主面１の他の部分に対して凹まされた複数の露出した領域６から形成されている。各露出した領域６は、円形のセルを形成しており、各円形のセルは、ラミネート材料の壁部の形式の突出したエレメント８によって、他のセルから分離されている。これらの壁部は、露出した領域６によって提供された第１の主面１のベースに対して、一定の高さを有する。重要なことに、突出したエレメント８は、第１の主面１と、（例えば、カード積み重ね庫内の隣接するカードによって提供される）接触面との間の接触面積を減じる。これは、カード１が接触面に付着する可能性を減じる。
【００２４】
各露出した領域６は、５ｍｍの直径および上側平坦面に対する０．０５ｍｍの一定の深さを有する。露出した領域６は、第１の主面１に設けられる露出した領域６の数を最大化するために六角形に詰め込まれている。この配置は、各露出した領域６を分離させるために必要とされる材料の量を最小限に減じ、ひいては、接触面積をさらに減じる。
【００２５】
第１の実施の形態において、突出したエレメント８は、互いに接続されている。さらに、壁部は、実質的に第１の主面１の幅および長さに沿って延びている。実質的に第１の主面１の長さに沿って延びる壁部は、カード１０がいかなる面に対しても引っ掛かることなくカード１０が同じ平面に沿って長手方向に移動させられることを保証する。加えて、実質的に第１の主面１の幅に沿って延びる壁部は、温度変化によるカードの反りの可能性を減じる。対照的に、突出したエレメントがカード１０の長さに沿ってのみ延びているならば、カード１０は、長手方向軸線を中心とする反りを生じやすくなるであろう。したがって、実質的に両方向に延びる壁部の組み合わせは、カード１０の構造的一体性を増大し、カード１０のより確実な送り出しを促進する。
【００２６】
レリーフ構造４は、実質的に第１の主面１の表面積を占めている。特に、レリーフ構造４は、ほぼ矩形の輪郭を有し、レリーフ構造４をカード１０の縁部から分離するラミネート材料の隣接する境界部５によって包囲されている。したがって、レリーフ構造４は、実質的にカード１０の長さに沿ってかつ実質的にカード１０の幅に沿って延びている。境界部５は、カード１０の縁部に摩耗が生じてしまうことを防止する。対照的に、露出した領域６がカード１０の縁部に沿って設けられていると、縁部におけるこれらの領域を分離させる細い突出したエレメントが、カード１０を繰り返し使用した後に破損し、剥がれ落ちることがある。加えて、境界部５は、カード１０の横方向移動の間、突出したエレメント８が引っ掛かることを防止するのを助けることがある。
【００２７】
境界部５および突出したエレメント８は、第１の主面１にわたって等しい高さを有し、したがって、カード上に上側平坦面を形成している。下側平坦面は、露出した領域６の表面によって提供されている。これは、第１の主面１の「ベース」を形成している。この例では、第１の主面１の５８％が、露出した領域６によってカバーされているのに対し、第１の主面１の約８０％が、レリーフ構造４によってカバーされている（その差が、突出したエレメント８によってカバーされている）。第１の主面１とは異なり、第２の主面２は、その表面積にわたって一定の平坦な輪郭を有する。したがって、第２の主面２は、いかなるレリーフ構造も有さない。
【００２８】
レリーフ構造４は、第１の主面１と接触面との間の接触面積を減じるように機能する。カード１０がカードの積み重ね庫内に配置されている場合、この接触面は、一般的に、別の同様に形成されたカードの第２の主面である。したがって、カードは、各第１の主面のための垂線ベクトルが同じ方向（例えば上方または下方）に延びるように同じ向きで配置されてもよい。したがって、レリーフ構造４は、接触するカードの間の各境界面に提供されている。これは、接触面積を減じることによって積み重ね庫からのカードのより確実な送り出しを促進し、ひいては、カードが互いに付着する可能性を減じる。重要なことに、このレリーフ構造４を有するカードは、特に高温多湿の環境において積み重ね庫から確実かつ個別に送り出されることがあることが判った。例えば、レリーフ構造４を有するカードを摂氏６０度、３０％の相対湿度の環境において、積み重ね庫内で互いに付着することなく確実に送り出されることができることが実験から判った。
【００２９】
カード１０によって提供される別の利点は、レリーフ構造４がカード１０の全体的な厚さを増大しないということである。露出した領域６は、第１の主面１内へ凹まされている。したがって、露出した領域６は、カード１０の厚さの範囲で窪みを形成し、レリーフ構造４は、カード１０の通常の厚さの範囲に維持される。したがって、各カード１０におけるレリーフ構造４の存在は、決まった長さのカードカセット内に積み重ねとして提供されてもよいカード１０の数を減少させることがなく、別の表面に沿って滑らされるときにカードが引っ掛かる可能性を高めることもない。
【００３０】
第２の実施の形態によるカード２０の正面図が、図５によって示されている。カード２０は、異なるレリーフ構造を有する点を除き、第１の実施の形態のカード１０と同様である。第２の実施の形態では、レリーフ構造は、第１の主面１１の表面積全体を占めている。さらに、突出したエレメント２８は、第１の主面１１の中心の周りに同心状に配置された別個の壁部を形成している。突出したエレメント２８は、カード２０の露出した領域２６によって分離されており、露出した領域２６から、第１の主面１１に対して垂直方向に０．１ｍｍだけ突出している。第２の主面は、図３に示したように平坦である。
【００３１】
両実施の形態の第１および第２の主面は、ラミネートから形成されている。露出した領域６，２６は、第１の主面１，１１においてラミネート内へ凹まされている。したがって、ラミネートは、露出した領域６，２６のベース、突出したエレメント８，２８、また、第１の実施の形態の場合には、境界部５をも形成している。カード本体は、スマートカードにおいて標準的であるように、ラミネート層の間に提供されている。ここで、図６を参照しながらカード１０を製造するためのプロセスを説明する。
【００３２】
複数のカードのカード本体を形成するためのコア３０が、標準的なカード製造技術を用いて製造される。コア３０は、互いに上下に配置された、集積回路層を含む、カード材料の複数の層を有する。この実施の形態では、コア３０は、ISO/IEC 7810 ID-1規格に従って１８枚のカードを形成するように構成されている。その他のサイズのコアを、あらゆる数のカードを形成するために使用することができる。
【００３３】
主面をカバーするようにコア３０の両側にラミネートフィルム３２，３４が提供される。次いで、ラミネート３２，３４を加熱してコア３０に融着させ、カード材料の様々な層を互いに融合させるために、ラミネート加工プレスが使用される。ラミネート加工プレスは、ラミネート３２，３４およびコア３０を、研磨されたステンレス鋼から形成された反対側のプレート４６に押し付けるように構成されたラミネート加工板４０を有する。そうすることによって、ラミネート加工板４０に提供されたパターニング面４４が、第１のラミネート層３４にレリーフ構造４を刻み込む。
【００３４】
パターニング面４４は、まず、化学的エッチングプロセスによって得られる。この例では、研磨されたステンレス鋼プレートが、まず、基板を形成するために感光性レジストの層によって被覆される。次いで、フォトレジストが選択的にＵＶ光に露光され、パターニング面４４のポジ画像を得るように現像される。次いで、基板が、表面から約０．０５ｍｍの材料を選択的に除去するために、塩酸、硝酸または硫酸などのエッチング溶剤に曝される。
【００３５】
その結果、エッチングされた面（図６に影によって示されている）が、プレートの他の部分に対して凹まされ、エッチング剤との相互作用により、比較的より粗いテクスチャ(texture)を有する。このより粗い表面が、第１のラミネート層３４にマット仕上げを提供するのに対し、ラミネート加工板４０および反対側のプレート４６の研磨された非エッチング面４２は、ラミネート３２，３４に代替的な仕上げ（この場合は光沢）を提供する。これらの２つのテクスチャは、図１および図２に見ることができ、影付きの面はマット面に対応し、白い面は光沢仕上げに対応する。
【００３６】
積層後、積層されたカード材料のシートが、標準的な技術により、カード切断およびカード本体打抜き機を使用して、個々のカード１０に切断される。これにより、第１の実施の形態によるカード１０が形成される。
【００３７】
このプロセスは特に効率的であり、既存のカード製造プロセスを用いて最小限の付加的なコストで実施することができる。しかしながら、印刷またはニス引き技術などの、本発明によるレリーフ構造を製造するためのその他の方法も考えられる。ラミネート加工板にパターニング面を必要とすることなくレリーフ構造を積層プロセスによって製造することができることもさらに想定される。例えば、露出した領域にそれぞれ対応する複数の孔を有するラミネートフィルムを提供することができる。次いで、レリーフ構造を形成するためにフィルムをコアに積層させることができ、コアは、各露出した領域において露出させられる。
【００３８】
カード１０’の第３の実施の形態が、図７によって示されている。この実施の形態は、境界部５’が、レリーフ構造４’と比較して主面のより大きな割合を占めているという点を除き、第１の実施の形態と実質的に同じである。特に、境界部５’はより広幅であり、カード１０’の各縁部からより大きな量だけ延びており、これにより、レリーフ構造４’のために、カード１０’の中央により小さな領域を残している。この場合、カード１０’は、第１の実施の形態と同じ長さおよび幅を有するが、境界部５’は、カード１０’の長い方の縁部から少なくとも６ｍｍ、カード１０’の短い方の縁部から少なくとも５ｍｍだけ延びている。レリーフ構造４’の最も外側の露出した領域は、境界部５’によって分割されており、したがって、非円形の輪郭を有する（他の露出した領域とは異なる）。
【００３９】
前の実施の形態のように、レリーフ構造４’は、ラミネート加工板によってカードに刻み込まれる。したがって、対応するパターンがラミネート加工板に提供される。第３の実施の形態の特別な利点は、より広幅の境界部５’が、カード（またはカードを形成するためのコアおよびラミネート層のそれぞれの領域）に対するラミネート加工板の不整列のためのより大きな誤差を許容するということである。レリーフ構造４’は、好ましくはカード１０’の主面内で中心合わせされるが、レリーフ構造４’は、いずれの露出した領域もカード１０’の縁部と重なることなくより大きな量だけ中心からずれて提供されてもよい。したがって、中実のフレーム境界部は、ラミネート加工板の手作業による操作中に一般的に生じる可能性がある、カード１０’におけるレリーフ構造４’のある程度の位置的な「浮動」にもかかわらず、レリーフ構造４’の各側の周囲に維持される。これは、ラミネートがカードの縁部から剥がれ落ちないことを保証し、したがって、カードに摩耗が生じてしまうことを防止する。
【００４０】
要するに、したがって、従来技術よりも、カード積み重ね庫内の他のカードによって提供されるような平坦な面に付着される可能性が少ないカードが提供されることが認められるであろう。これは、背景の章で前に論じた問題を克服する。さらに、このカードの効率的な製造のためのラミネート加工板が提供される。
【符号の説明】
【００４１】
１  第１の主面
２  第２の主面
４  レリーフ構造
４’  レリーフ構造
５  境界部
５’  境界部
６  領域
８  エレメント
１０  カード
１０’  カード
１１  第１の主面
２０  カード
２６  領域
２８  エレメント
３０  コア
３２  ラミネートフィルム
３４  ラミネートフィルム
４０  ラミネート加工板
４４  パターニング面
４６  プレート
【図１】
2020023184.tif 000003
【図２】
2020023184.tif 000004
【図３】
2020023184.tif 000005
【図４】
2020023184.tif 000006
【図５】
2020023184.tif 000007
【図６】
2020023184.tif 000008
【図７】
2020023184.tif 000009